(57)【要約】【解決手段】通信システムにおける事前符号化のための方法及び装置が開示される。通信システムにおいて、発信局は、事前符号化されていないパイロット信号及び事前符号化データ信号を送信する。着信局は、事前符号化されていないパイロット信号を使用して通信チャンネルを特徴付ける測定基準を推定する。測定基準は、それから、送信されるべきデータ信号を事前符号化するために使用される。着信局はまた、事前符号化データの復調のために推定測定基準を使用することができる。しかしながら、パイロット信号は、事前符号化されてないので、パイロットチャンネルの所望のマルチパスに関する測定基準は、事前符号化データチャンネルのそれとは異なり、そしてそのデータチャンネルは、復調性能を低減させ得る。データ復調のためのチャンネル推定を向上させるために、発信局は、特定のユーザ向けのデータ信号と同様な方法で事前符号化専用パイロット信号を追加的に送信することができる。
2005502258.tif 000002
【特許請求の範囲】
【請求項１】
通信システムにおける事前符号化するための方法、該方法は下記を具備する：
事前符号器パラメータを決定する；
前記決定された事前符号器パラメータに従って第１データを事前符号化する；
前記事前符号化された第１データを送信する；及び
事前符号化されていない第１参照データを送信する。
【請求項２】
事前符号器パラメータを決定するが下記を具備する、請求項１記載の方法：
参照データを受信する；及び
前記受信された参照データ及び該参照データに従って事前符号器パラメータを決定する。
【請求項３】
事前符号器パラメータを決定するが下記を具備する、請求項１記載の方法：
事前符号化されていない第１参照データを受信する；
前記受信された事前符号化されていない第１参照データ及び該第１参照データに従って事前符号器パラメータを決定する；及び
前記決定された事前符号器パラメータを送信する。
【請求項４】
更に下記を具備する、請求項３記載の方法：
前記決定された事前符号器パラメータを受信する；及び
前記決定された事前符号器パラメータを事前符号器へ与える。
【請求項５】
前記決定されたパラメータに従って第１データを事前符号化することは下記を具備する請求項１記載の方法：
ペイロードデータを事前符号化する；及び
専用パイロットデータを事前符号化する。
【請求項６】
事前符号化されていない参照データを前記送信することは下記を具備する請求項１記載の方法：
連続的な事前符号化されていない参照データを送信する。
【請求項７】
事前符号化されていない参照データを前記送信することは下記を具備する、請求項１記載の方法：
非連続的な事前符号化されていない参照データを送信する。
【請求項８】
事前符号化されていない参照データを前記送信することは下記を具備する、請求項１記載の方法：
パイロットデータを送信する。
【請求項９】
更に下記を具備する、請求項１記載の方法：
少なくとも２つのアンテナで事前符号化されていない第１参照データを受信する；
等化器によって前記受信された事前符号化されていない第１参照データの各々を等化し及び等化した事前符号化されていない第１参照データを与える；
受信された事前符号化されていない第１参照データ及び該第１参照データに従って少なくとも２つの等化器の特性を調節することによって事前符号器パラメータを決定する；及び
前記決定された事前符号器パラメータを送信する。
【請求項１０】
受信された事前符号化されていない第１参照データ及び該第１参照データに従って少なくとも２つの等化器の特性を調節することによって事前符号器パラメータを前記決定することは下記を具備する、請求項９記載の方法：
等化された事前符号化されていない第１参照データを具備する複合データの品質測定基準を最適化する。
【請求項１１】
事前符号化されたデータを復調するための方法、該方法は下記を具備する：
参照データ及び事前符号化されたデータを受信する；及び
前記受信された参照データ及び該参照データに従って復調器パラメータを決定する；及び
前記決定された復調器パラメータに従って事前符号化されたデータを復調する。
【請求項１２】
参照データは事前符号化されていないパイロット信号を具備する、請求項１１記載の方法。
【請求項１３】
参照データは事前符号化されたパイロット信号を具備する、請求項１１記載の方法。
【請求項１４】
参照データは連続的な参照データである、請求項１１記載の方法。
【請求項１５】
参照データは非連続的な参照データである、請求項１１記載の方法。
【請求項１６】
通信システムにおける事前符号化のための装置、該装置は下記を具備する：
事前符号器パラメータに従ってデータを事前符号化するように構成された事前符号器；及び
事前符号化されたデータを送信するように及び事前符号化されていない第１参照データを送信するように構成された前記事前符号器に通信的に結合された第１送信器。
【請求項１７】
更に下記を具備する、請求項１６記載の装置：
参照データを受信するように構成された前記事前符号器に通信的に結合された第１受信器；
前記第１受信器に通信的に結合された第１プロセッサ；及び
前記第１プロセッサに通信的に結合され、及び前記受信された参照データ及び該参照データに従って事前符号器パラメータを決定するためにプロセッサによって実行可能な１組の命令を有する蓄積媒体。
【請求項１８】
更に下記を具備する、請求項１６記載の装置：
事前符号化されていない第１参照データを受信するように構成された第２受信器；
前記第２受信器に通信的に結合された第２プロセッサ；
前記第１プロセッサに通信的に結合され及び前記受信された事前符号化されていない第１参照データ及び該事前符号化されていない第１参照データに従って事前符号器パラメータを決定するためにプロセッサによって実行可能な１組の命令を有する蓄積媒体；及び
前記決定された事前符号器パラメータを送信するように構成された前記第２プロセッサに通信的に結合された第２送信器。
【請求項１９】
前記第１受信器は更に下記をするように構成される、請求項１８記載の装置：
前記決定された事前符号器パラメータを受信する；及び
前記受信された事前符号器パラメータを前記事前符号器へ与える。
【請求項２０】
前記事前符号器は該決定されたパラメータに従って第２参照データを事前符号化するように更に構成される、請求項１６記載の装置；及び
ここにおいて、前記第１送信器は事前符号化された第２参照データを送信するように更に構成される。
【請求項２１】
前記第１送信器は事前符号化されていない第１参照データを連続的に送信するように更に構成される、請求項１６記載の装置。
【請求項２２】
前記第１送信器は事前符号化されていない第１参照データを非連続的に送信するように更に構成される、請求項１６記載の装置。
【請求項２３】
前記事前符号化されていない第１参照データはパイロットデータを具備する、請求項１６記載の装置。
【請求項２４】
前記第１送信器は事前符号化された第２参照データを連続的に送信するように更に構成される、請求項２０記載の装置。
【請求項２５】
前記第１送信器は事前符号化された第２参照データを非連続的に送信するように更に構成される、請求項２０記載の装置。
【請求項２６】
前記事前符号化された第２参照データは専用パイロットデータを具備する、請求項２０記載の装置。
【請求項２７】
更に下記を具備する、請求項１６記載の装置：
受信された事前符号化されていない第１参照データを受け入れるように及び等化された事前符号化されていない第１参照データを与えるように構成された少なくとも２つの等化器；
前記少なくとも２つの等化器に通信的に結合されたプロセッサ；
プロセッサに通信的に結合され及び受信された事前符号化されていない第１参照データ及び該第１参照データに従って少なくとも２つの等化器の特性を調節することによって前記事前符号器パラメータを決定するためにプロセッサによって実行可能な１組の命令を有する蓄積媒体；及び
決定された事前符号器パラメータを送信するように構成された前記プロセッサに通信的に結合された第２送信器。
【請求項２８】
前記プロセッサは下記をするための１組の命令を実行することによって事前符号化されていない第１参照データ及び該第１参照データに従って少なくとも２つの等化器の特性を調節することによって前記事前符号器特性を決定する、請求項１６記載の装置：
等化された事前符号化されていない第１参照データを具備する複合データの品質測定基準を最適化する。
【請求項２９】
事前符号化されたデータを復調するための装置、該装置は下記を具備する：
参照データ及び事前符号化されたデータを受信するように、及び前記受信された参照データ及び該参照データに従って復調器パラメータを決定するように構成された第１受信器；及び
前記決定された復調器パラメータに従って事前符号化されたデータを復調するように構成された前記受信器に通信的に結合された復調器。
【請求項３０】
参照データは事前符号化されていないパイロット信号を具備する、請求項２９記載の装置。
【請求項３１】
参照データは事前符号化されたパイロット信号を具備する、請求項２９記載の装置。
【請求項３２】
参照データは連続的な参照データである、請求項２９記載の装置。
【請求項３３】
参照データは非連続的な参照データである、請求項２９記載の装置。
【請求項３４】
通信システムにおいて事前符号化するためのディジタル信号処理装置、該装置は下記を具備する：
メモリ蓄積ユニット；及び
前記メモリ蓄積ユニットに通信的に結合され、下記をするための命令を実行することが可能なディジタル信号プロセッサ：
事前符号器パラメータを決定する；
決定された事前符号器パラメータに従って第１データを事前符号化する；及び
送信のために事前符号化されていない第1参照データ及び事前符号化された第１データを準備するのを支援する。
【請求項３５】
通信システムにおいて事前符号化されたデータを復調するためのディジタル信号処理装置、該装置は下記を具備する：
メモリ蓄積ユニット；及び
前記メモリ蓄積ユニットに通信的に結合され、下記をするための命令を実行することが可能なディジタル信号プロセッサ；
参照データ及び事前符号化されたデータを受け入れる；
受け入れた参照データ及び該参照データに従って復調パラメータを決定する；及び
決定された復調パラメータに従って事前符号化されたデータを復調する。
【請求項３６】
通信システムにおける事前符号化するための装置、該装置は下記を具備する：
事前符号器パラメータを決定するための手段；
前記決定された事前符号器パラメータに従って第１データを事前符号化するための手段；
前記事前符号化された第１データ及び事前符号化されていない第１参照データを送信するための手段。
【請求項３７】
事前符号化されたデータを復調するための装置、該装置は下記を具備する：
参照データ及び事前符号化されたデータを受信するための手段；及び
前記受信された参照データ及び該参照データに従って復調器パラメータを決定するための手段；及び
前記決定された復調器パラメータに従って事前符号化されたデータを復調するための手段。
【発明の詳細な説明】
【技術分野】
【０００１】
本発明は、通信に関する。特に、本発明は、無線通信システムにおけるマルチパス除去に関する。
【背景技術】
【０００２】
通信システムは、発信局から１つ以上の物理的に異なる着信局への情報の伝送を可能にするために開発されてきている。通信チャンネルを介する発信局からの情報信号の伝送において、情報信号は、先ず、通信チャンネルを介する効率的伝送に適する形式に変換される。この中に使用されるように、通信チャンネルは、それを介して信号が伝送される単一の通路を具備する。情報信号の変換又は変調は、結果としての変調搬送波（modulated carrier）のスペクトルが通信チャンネル帯域幅内に制限されるような方法で、情報信号に従って搬送波のパラメータを多様にすることを伴う。着信局では、元の情報信号は、通信チャンネルを介して受信される変調搬送波から復元される。このような復元は、一般に、発信局によって使用される変調処理の逆を使用することによって実現される。
【０００３】
変調もまた、多元接続、即ち、共通の通信チャンネルを介する数個の信号の送信及び／又は受信を容易にする。多元接続通信システムは、しばしば、共通の通信チャンネルへの連続的アクセスではなく、比較的短い持続時間の断続的サービスを要求する複数の遠隔加入者ユニットを含む。数個の多元接続技術は、時分割多元接続（ＴＤＭＡ）、周波数分割多元接続（ＦＤＭＡ）、及び振幅変調（ＡＭ）のように、技術的に周知である。もう１つの型の多元接続技術は、“２重モード広帯域スペクトル拡散セルラシステムのためのＴＩＡ／ＥＩＡ／ＩＳ‐９５移動局‐基地局適合性標準”(TIA/EIA/IS-95 Mobile Station-Base Station compatibility Standard for Dual-Mode Wide-Band Spread Spectrum Cellular System)に適合する、符号分割多元接続（ＣＤＭＡ）スペクトル拡散システムに使用され、そしてそれは、この中に後でＩＳ‐９５標準と呼ばれている。多元接続通信システムにおけるＣＤＭＡ技術の使用は、“衛星又は地上中継器を使用するスペクトル拡散多元接続通信システム”と題する、米国特許第４９０１３０７号、及び“ＣＤＭＡセルラ電話システムにおける波形を発生させるためのシステム及び方法”と題する米国特許第５１０３４５９号に開示され、そしてそれらは、両方とも、本発明の譲受人に譲渡され、この中に参照して組み入れられる。
【０００４】
多元接続通信システムは、音声及び／又はデータを伝えることができる。音声及びデータを両方とも伝える通信システムの例は、ＩＳ‐９５標準に従うシステムであり、そしてその標準は、通信チャンネルを介して音声及びデータを伝送することを規定する。固定サイズの符号チャンネルフレームでデータを伝送するための方法は、“伝送のためのデータのフォーマットをするための方法及び装置”と題する、米国特許第５５０４７７３号に詳細に記載され、そしてそれは、本発明の譲受人に譲渡されている。ＩＳ‐９５標準に従えば、データ又は音声は、毎秒１４．４キロビットと同じ位高いデータレートを持つ２０ミリ秒幅の符号チャンネルフレームに区分される。音声及びデータを両方とも伝える通信システムの追加の例は、“第３世代連携プロジェクト”(3rd Generation Partnership Project)（３ＧＰＰ）に適合する通信システムであり、そしてそれは、文書番号３Ｇ  ＴＳ２５．２１１、３Ｇ  ＴＳ２５．２１２、３Ｇ  ＴＳ２５．２１３、及び３Ｇ  ＴＳ２５．２１４（Ｗ‐ＣＤＭＡ標準）、又は“ｃｄｍａ２０００スペクトル拡散システムのためのＴＲ‐４５．５物理層標準”（ＩＳ‐２０００標準）を含む一組の文書に収録されている。
【０００５】
データ専用（data only）通信システムの例は、１９９７年３月１１日に出願された“高レートパケットデータ伝送のための方法及び装置”と題する、同時係属出願第０８／９６３３８６号に開示された通信システムのような、高データレート（ＨＤＲ）通信システムであり、そしてそれは、本発明の譲受人に譲渡されている。ＨＤＲ通信システムは、毎秒３８．４キロビットから毎秒２．４メガビットの範囲の一組のデータレートを規定し、そしてそのデータレートで、発信局（アクセス点ＡＰ）は、受信端末（アクセス端末ＡＴ）へデータを送出することができる。
【０００６】
通信システムにおける端末の間で交換されるべき情報信号は、しばしば、複数のパケットに整理されている。この説明をする目的で、パケットは、特定のフォーマットに配列された、データ（ペイロード）及び制御要素を含む一群のバイトである。制御要素は、例えば、プリアンブル及び品質測定基準（quality metric）を具備する。品質測定基準は、例えば、周期的冗長度チェック（ＣＲＣ）、パリティビット、及び技術的に精通した人に周知の他の型の測定基準を具備する。パケットは、通常、通信チャンネル構成に従うメッセージにフォーマットされる。適切に変調され、発信局及び着信局の間を移動するメッセージは、通信チャンネルの特性、例えば、信号対雑音比、フェージング、時間変化（time variance）、及び他のこのような特性によって影響される。このような特性は、様々な通信チャンネルにおいて、変調信号（modulated signal）に様々に影響を及ぼす。その結果、無線通信チャンネルを介する変調信号の伝送は、電線のような通信チャンネル、例えば、同軸ケーブル又は光ケーブルを介する変調信号の伝送よりも様々な考慮を要求する。特定の通信チャンネルに適切な変調を選択することに加えて、情報信号を保護するための他の方法が考案されてきている。このような方法は、例えば、符号化、信号反復、インタリーブ、及び技術的に精通した通常の人に周知の他の方法を具備する。しかしながら、これらの方法は、一般諸経費を増加させる。従って、メッセージ配信の信頼性及び一般諸経費の量の間に技術妥協がなされなければならない。前に論議した情報の保護を用いてでさえも、その点では着信局は、多分、メッセージを具備する若干のパケットを復号することができない（消去する）点へ通信チャンネルの状態が劣化することがある。データ専用通信システムにおいては、発信局へ着信局によってなされる自動再送信要請（ＡＲＱ）を使用して復号されていないパケットを再送信するための解決法がある。
【０００７】
無線通信システムにおける通信リンクに影響を及ぼす１つの特性は、セルの中でのマルチパス干渉である。セルの中でのマルチパス干渉は、その通路を沿って信号が、発信局から送信され、着信局に到達する多数の通路の存在によって引き起こされる。マルチパス干渉の概念は、図１に図示され、ここで、発信局、例えば、基地局（ＢＳ）１０２は、信号を送信し、そしてその信号は、２つの通路１０６、１０８に沿って、着信局、例えば、遠隔局（ＲＳ）１０４に到達する。マルチパスの存在は、受信される搬送波対干渉（Ｃ／Ｉ）比を減少させる。受信されるＣ／Ｉは、次の方程式に従って決定されることができる。
【０００８】
Ｃ／Ｉ＝Ｓ1／（Ｉ＋Ｓ2）＋Ｓ2／（Ｉ＋Ｓ1）                        （１）
ここで、Ｃは、受信される信号搬送波パワーであり、Ｉは、干渉であり、Ｓ1は、通路１０６に沿って受信される信号パワーの成分であり、及びＳ2は、通路１０８に沿って受信される信号パワーの成分である。マルチパス成分、即ち、通路１０８、の除去は、方程式（１）を次の方程式に縮小する。
【０００９】
Ｃ／Ｉ＝Ｓ／Ｉ                                                    （２）
ここで、Ｓ＝Ｓ1＋Ｓ2は、受信される信号パワーである。
【００１０】
技術的に精通した通常の人は、方程式（２）によって与えられるＣ／Ｉが方程式（１）によって与えられるＣ／Ｉより大きいことを認識する。従って、マルチパス成分によって引き起こされるセルの中での干渉の減少は、結果的に受信されるＣ／Ｉの増加になる。ＲＳ１０４での増加させられたＣ／Ｉは、例えば、容量における増加、データスループットにおける増加、及び技術的に精通した人に周知の他の利益の提供、によって無線通信システムの性能に利益を与える。従って、マルチパス干渉を除去することが望まれる。マルチパス干渉を除去するための１つのアプローチは、等化(equalization)及び事前符号化（pre-coding）技術を利用する。
【００１１】
図２は、受信器での等化によってマルチパス成分を除去する方法を図示する。送信器２０２は、通信リンク２０４を介して信号ＳTransmittedを送信する。通信リンクは、測定基準、例えば、インパルス応答、伝達関数又は技術的に精通した人に周知の他の特性、によって特徴付けられる。図示をする目的で、伝達関数Ａ（ｚ）が使用される。通信リンクは、雑音Ｎ２０６を導入し、結果として生じる信号及び雑音は、等化器２０８へ与えられる。等化器が伝達関数１／Ａ（ｚ）によって特徴付けられるならば、そのときは、受信器２１０は、次の方程式によって与えられる信号を受信する。
【００１２】
ＳＲｅｃｅｉｖｅｄ＝（ＳTransmitted・Ａ（ｚ）＋Ｎ）・１／Ａ（ｚ）＝ＳＴｒａｎａｍｉｔｔｅｄ＋Ｎ／Ａ（ｚ）’                                                              （３）
ここで、Ｎは、通信チャンネル雑音であり、ＳTransmittedは、送信される信号であり、及びＳReceivedは、受信される信号である。
【００１３】
このアプローチの不利な点は、Ａ（ｚ）≪１に関する雑音の電位増幅である。受信器で等化を行う代わりに送信器で信号を事前符号化することは、この不利な点を除去することができる。送信器での事前符号化は、図３に図示されている。送信器３０２は、データ源３０４を具備し、そしてそのデータ源は、事前符号器３０６へ伝達されるためのデータを与える。事前符号化データは、それから、伝達関数Ａ（ｚ）によって特徴付けられた通信チャンネル３０８を介して送信される。通信チャンネルは、雑音Ｎ３１０を導入し、結果として生じる信号及び雑音は、受信器３１２へ与えられる。事前符号器３０６が伝達関数１／Ａ（ｚ）によって特徴付けられているならば、そのときは、受信器３１２は、次の方程式によって与えられる信号を受信する。
【００１４】
ＳＲｅｃｅｉｖｅｄ＝Ｓｒａｎｓｍｉｔｔｅｄ・１／Ａ（ｚ）・Ａ（ｚ）＋Ｎ＝ＳＴｒａｎｓｍｉｔｔｅｄ＋Ｎ
（４）
方程式（４）の考察は、雑音増幅問題は、全ての値のＡ（ｚ）に関して除去されてしまうが、しかしながら、Ａ（ｚ）≪１に関して、正しい事前符号化に要求されるパワーは、送信器３０２の利用可能なパワーを超過することができることを、明らかにする。利用可能なパワー問題を除去するために、１つの事前符号化方式が、送信以前のデータ上で（１／Ａ（ｚ））ｍｏｄ（ＰTransmitted）変換を行う。ＰTransmittedは、そのレベルで送信器が送信することができるような最大パワーレベルである。受信器では、逆変換ｍｏｄ（ＰTransmitted）が復号以前に受信されるデータ上で行われる。
【００１５】
更なる事前符号化の詳細は、Ｍ．Ｔｏｍｌｉｎｓｏｎ氏による、“法（モジュロ）演算（modulo arithmetic）を使用する新自動等化器”、エレクトロニック・レターズ（Electronic Letters）、第７巻、１９７１年３月、第１３８‐１３９ページに、並びにＧ．Ｄ．Ｆｏｒｎｅｙ氏及びＭ．Ｖ．Ｅｙｕｂｏｇｌｕ氏による、“事前符号化を使用する組み合わせ等化及び符号化”、電気電子学会・通信誌（IEEE Comm. Magazine）、１９９１年１２月、第２５‐３４頁に見出されることができる。
【００１６】
前述に基づいて、多元接続無線通信システムに事前符号化及び等化を適用することによって、マルチパスを除去する方法及び装置に関する技術にニーズが存在する。
【００１７】
［発明の概要］
本発明の１つの態様において、前に述べたニーズは、事前符号器パラメータを決定することに向けられる。これは、前記決定された事前符号器パラメータに従って第１のデータを事前符号化する、事前符号化された第１のデータを送信する、及び事前符号化されていない（non pre-coded）第１の参照データを送信する、ことによって対処される。事前符号器パラメータは、参照データを受信することにより決定される；及びこれは前記受信された参照データ及び該参照データに従って事前符号器パラメータを決定する。
【００１８】
本発明のもう１つの態様において、事前符号器パラメータは、事前符号化されていない第１の参照データを受信する、前記受信した事前符号化されていない第１の参照データ及び該第１の参照データに従って事前符号器パラメータを決定する、及び前記決定された事前符号器パラメータを送信する。
【００１９】
本発明のもう１つの態様において、事前符号器パラメータは、受信された事前符号化されていない第１の参照データを等化し及び等化した事前符号化されていない第１の参照データを与える、受信した事前符号化されていない第１の参照データ及び第１の参照データに従って少なくとも２つの等化器の特性を調節することによって事前符号器パラメータを決定する、そして前記決定された事前符号器パラメータを送信する。
【００２０】
しかも、本発明のもう１つの態様において、前に述べたニーズは、参照データ及び事前符号化されたデータを受信する、及び前記受信した参照データ及び該参照データに従って復調器パラメータを決定する、及び前記決定復調器パラメータに従って事前符号化データを復調する。
【００２１】
［好ましい実施形態の詳細な説明］
本発明の特徴、目的、及び利点は、同様な参照文字が全体に亘って対応して識別する図面と共に取り入れられるとき、以下に述べる詳細な説明からより明らかになるであろう。
【００２２】
図４は、本発明の実施形態に従う方法を行うことが可能な多元接続通信システム４００の概念図を図示する。ＡＰ４０２は、順方向リンク４０６（１）を介してＡＴ４０４へデータを送信し、逆方向リンク４０８（１）を介してＡＴ４０４からデータを受信する。同様に、ＡＰ４０２は、順方向リンク４０６（２）を介してＡＴ４０１へデータを送信し、逆方向リンク４０８（２）を介してＡＴ４１０からデータを受信する。本発明のデータ通信システムの例示的実施形態に従えば、順方向リンクデータ伝送は、１つのＡＰから１つのＡＴへ行われる。逆方向リンクデータ通信は、１つのＡＴから１つ以上のＡＰへ行われる。２つのＡＴ及び１つのＡＰのみが図４に示されているけれども、技術的に精通した通常の人は、これは、説明目的のためのみであり、多元接続通信システムは、複数のＡＴ及びＡＰを具備することができることを、認識する。
【００２３】
１つの実施形態において、通信システム４００における各ＡＰは、パイロット信号と呼ばれる周知の信号を送信する。１つの実施形態において、パイロット信号は、順方向トラフィックチャンネル上を明確に規定された周期的間隔で送信される。もう１つの実施形態において、パイロット信号は、別個の順方向チャンネル上を連続的に送信される。この説明の目的のために、チャンネルは、他の並行の経路とは異なる信号を送信するための経路であり、こうして、チャンネル経路は、例えば、周波数分割、時分割、符号分割、技術的に精通した人に周知の他のもの、によって分離されることができる。
【００２４】
図５は、例示的な順方向リンク波形５００を図示する。説明理由のために、波形５００は、前に述べたＨＤＲシステムの順方向リンク波形を手本にしている。しかしながら、技術的に精通した通常の人は、その教示は、様々な波形に適用可能であると、理解することができる。こうして、例えば、１つの実施形態において、波形は、パイロット信号バーストを有する必要はなく、パイロット信号は、別個のチャンネル上を伝送されることができ、そしてそのチャンネルは、連続的又はバースト的（bursty）であることができる。順方向リンク５００は、フレームの点で規定される。フレームは、１６個のタイムスロット５０２を具備する構成で、各タイムスロット５０２は、１．６６ミリ秒のタイムスロット持続時間、従って２６．６６ミリ秒のフレーム持続時間に対応する、２０４８個のチップの長さである。この説明の目的のために、タイムスロットは、データレートに依存する可変個数のビットを具備する固定された時間間隔である。各タイムスロット５０２は、各半タイムスロット５０２ａ、５０２ｂの中で伝送されるパイロットバースト５０４ａ、５０４ｂと共に、２つの半タイムスロット５０２ａ、５０２ｂに分割される。例示的実施形態において、各パイロットバースト５０４ａ、５０４ｂは、９６個のチップの長さであり、それの関連する半タイムスロット５０２ａ、５０２ｂの中点に中心を合わせられる。パイロットバースト５０４ａ、５０４ｂは、インデックス０のウォルシュ（Walsh）カバーによってカバーされるパイロットチャンネル信号を具備する。順方向媒体アクセス制御チャンネル（ＭＡＣ）５０６は、２つのバーストを形成し、そしてそのバーストは、各半タイムスロット５０２のパイロットバースト５０４の直前及び直後に伝送される。例示的実施形態において、ＭＡＣは、６４個までの符号チャンネルによって構成され、そしてその符号チャンネルは、６４値拡散符号変調ウォルシュカバーによって直交的にカバーされる。各符号チャンネルは、ＭＡＣインデックスによって識別され、そしてそのＭＡＣインデックスは、１と６４の間の値を有し、独特の６４値拡散符号変調ウォルシュカバーによって識別される。逆方向パワー制御チャンネル（ＲＰＣ）は、各加入者局に関する逆方向リンク信号のパワーを調整するために使用される。ＲＰＣは、５と６３の間のＭＡＣインデックスを有する１つの利用可能なＭＡＣに割り当てられる。ＭＡＣインデックス４を有するＭＡＣは、逆方向活動性チャンネル（ＲＡ）のために使用され、そしてそのチャンネルは、逆方向トラフィックチャンネル上で流れ制御を行う。順方向リンクトラフィックチャンネル及び制御チャンネルペイロードは、第１番目の半タイムスロット５０２ａの残りの部分５０８ａ及び第２番目の半タイムスロット５０２ｂの残りの部分５０８ｂに送出される。
【００２５】
パイロットバースト５０４は、受信された信号の品質測定基準(quality metric)を予測するための手段を有するＡＴを与える。図４へ返って参照すると、初めに、ＡＰ４０２及び１つのＡＴ、例えば、ＡＴ４０４は、事前決定されたアクセス手順を使用して通信リンクを確立する。この接続された状態において、ＡＴ４０４は、ＡＰ４０２からのデータ及び制御メッセージを受信することが可能であり、及びＡＰ４０２へのデータ及び制御メッセージを送信することが可能である。ＡＴ４０４は、それから、ＡＴ４０４の活動的な組における全てのＡＰからの送信のための順方向リンクを傍受する。活動的な組は、ＡＴ４０４との通信が可能な全てのＡＰのリストを具備する。ＡＴ４０４は、それから、ＡＴ４０４の活動的な組における各ＡＰに関して順方向リンクに関する品質測定基準を決定し、そしてその品質測定基準は、１つの実施形態において、信号対雑音及び干渉比（ＳＩＮＲ）を具備する。１つの実施形態において、ＡＴ４０４は、ＡＴ４０４の活動的な組に属する全てのＡＰから受信される（図５の）パイロットバースト５０４を傍受し、順方向リンク信号のＳＩＮＲを決定するためにパイロットバースト５０２を利用する。特定のＡＰ、例えば、ＡＰ４０２からの品質測定基準が事前決定された割増し閾値（add threshold）を上回るか又は事前決定された割引き閾値（drop threshold）を下回るならば、ＡＴ４０４は、これをＡＰ４０２へ通報する。ＡＰ４０２からのその次のメッセージは、特定のＡＰをそれの活動的な組へ追加するために、又は特定のＡＰをそれの活動的な組から削除するために、ＡＴ４０４を指図する。ＡＴ４０４の活動的な組におけるＡＰの各々からの過去の信号セグメントを介するＳＩＮＲ情報に基づいて、ＡＴ４０４は、ＡＴ４０４の活動的な組におけるＡＰの各々に関する将来の信号セグメントを介するＳＩＮＲを予測する。１つの実施形態において、信号セグメントは、タイムスロットである。例示的予測方法は、本発明の譲受人に譲渡された、“通信システム性能を向上させるために信号対干渉及び雑音比を正確に予測するためのシステム及び方法”と題する、同時係属出願第０９／３９４９８０号に開示されている。様々な着信局がパイロットバースト５０４を利用しているので、ＡＰ４０２は、パイロットバースト５０４上で事前符号化を実施してはならない。
ＡＴ４０４は、ＡＰからの順方向リンク信号のＳＩＮＲを測定し続け、１組のパラメータに基づいて活動的な組から有用な(serving)ＡＰを選択する。パラメータの組は、現在及び以前のＳＩＮＲ測定値並びにビット誤りレート又はパケット誤りレートを具備することができる。１つの実施形態において、有用なＡＰは、最大のＳＩＮＲ測定値に基づいて選択される。ＡＴ４０４は、それから、有用なＡＰを識別し、データ要請チャンネル（以降、ＤＲＣチャンネルと呼ばれる）上で選択されたＡＰへデータ要請メッセージ（以降、ＤＲＣメッセージと呼ばれる）を送信する。ＤＲＣメッセージは、要請されたデータレート又は、代案として、順方向リンクチャンネルの品質（例えば、ＳＩＮＲ測定値それ自身、ビット誤りレート、又はパケット誤りレート）の表示を有することができる。１つの実施形態において、ＡＴ４０４は、基地局を独特に識別するウォルシュ符号の使用によって、特定のＡＰへのＤＲＣメッセージの送信を指図することができる。ＤＲＣメッセージシンボルは、独特なウォルシュ符号と排他的論理和演算（ＸＯＲ）をする。ＡＴ４０４の活動的な組における各ＡＰが独特のウォルシュ符号によって識別されるので、正しいウォルシュ符号を用いて、ＡＴ４０４によって行われるような、全く同じのＸＯＲ動作を行う選択されたＡＰのみが、ＤＲＣメッセージを正しく復号することができる。
【００２６】
１つの実施形態において、通信システム４００は、時分割２重(time division duplex)（ＴＤＤ）を利用する。ＴＤＤは、順方向リンク及び逆方向リンクが両方共に同じ搬送周波数上で伝送されることを意味する。周波数相互関係により、順方向リンク及び逆方向リンクの特性は、等しい。従って、ＡＰは、順方向リンク上で事前等化を行うための逆方向リンクインパルス応答推定値を使用することができる。１つの実施形態において、ＡＰ４０２は、逆方向リンク上でＡＴ４０４によって送出される信号から逆方向リンクインパルス応答を推定する。
【００２７】
もう１つの実施形態において、通信システム４００は、周波数分割２重(frequency division duplex)（ＦＤＤ）を利用する。ＦＤＤは、順方向リンクが一つの搬送波周波数上で伝えられ、逆方向リンクが異なる搬送波周波数上で伝えられることを意味する。搬送波周波数相違のために、順方向リンク及び逆方向リンクの特性は、一般に、異なるだろう。従って、ＦＤＤシステムにおける順方向リンクを特徴付けるために、ＡＴ４０４は、順方向リンク特性Ａ（ｚ）を推定するためのパイロットバースト５０２を使用する。順方向リンク特性は、インパルス応答、伝達関数、又は技術的に精通した人に周知の他の特性を具備する。ＡＴ４０４は、それから、逆方向リンク上で、それが決定したチャンネルインパルス応答をＡＰへ送信する。
【００２８】
ＡＴ４０４へ送信されるべきデータが制御器４１２へ到達するとき、１つの実施形態において、制御器４１２は、帰路（backhaul）４１４を介してＡＴ４０４の活動的な組における全てのＡＰへデータを送出する。用語帰路は、制御器とＡＰとの間の通信リンクを意味するために使用される。もう１つの実施形態において、制御器４１２は、最初に、どのＡＰが有用であるＡＰ、例えば、ＡＰ４０２として、ＡＴ４０４によって選択されたかを決定し、それから、決定されたＡＰへデータを送出する。データは、ＡＰに行列して蓄積される。ページングメッセージは、それから、１つ以上のＡＰによってそれぞれの制御チャンネル上のＡＴ４０４へ送出される。ＡＴ４０４は、ページングメッセージを受信するために１つ以上の制御チャンネル上の信号を復調し、復号する。
【００２９】
各タイムスロットで、ＡＰ４０２は、データ伝送に関して呼び出されたＡＴの何れも選択することができる。ＡＰ４０２は、最高の可能なレートで順方向リンクデータを効率的に伝送するためにＤＲＣメッセージにおける各ＡＴから受信されるレート制御情報を使用する。１つの実施形態において、ＡＰ４０２は、ＡＴ４０４から受信される最も最近の値のＤＲＣメッセージに基づいて、ＡＴ４０４へデータを送信すべきデータレートを決定する。更に、ＡＰ４０２は、前に論議した原理を用いて順方向リンクのデータ部分を事前符号化するために、逆方向チャンネルを介して受信されるチャンネル特性Ａ（ｚ）を使用する。
【００３０】
データが意図されているＡＴ４０４は、データ伝送を受信し、データを復号する。１つの実施形態において、ＡＴ４０４は、通信チャンネルの複合チャンネル利得を推定するためにパイロットバースト５０４を使用し、データの復調に関してこの推定値を利用することができる。説明したように、パイロット信号は、推定値
【数１】
2005502258.tif 000003
【００３１】
を生じる（以下、「Ａ＾（ｚ）」と記す）、順方向リンク特性Ａ（ｚ）を推定するために使用される。データシンボルｔは、それから、１／Ａ＾（ｚ）によって事前符号化され、順方向リンクを介して送出される。ＡＴ４０４は、次の方程式によって与えられる、送信されたシンボルｔに対応する信号シンボルｒを受信する。
【数２】
2005502258.tif 000004
【００３２】
ここで、ａは、Ａ＾（ｚ）とＡ（ｚ）との間の相違によって導入された振幅であり、ｅは、自然対数（natural system of logarithms）の底であり、θは、Ａ＾（ｚ）とＡ（ｚ）との間の相違によって導入された位相であり、及びｎは、順方向リンクによって加えられた雑音である。
【００３３】
振幅及び位相歪みを除去するために、リンク複合利得の推定値が要求される。方程式（５）から、信号シンボルｒがＡＴ４０４で周知であるならば、ＡＴ４０４は、振幅ａ及び位相θを計算することができることになる。パイロットバースト４０２は、周知の信号であるけれども、パイロットバースト４０２は、事前符号化されなかったので、共通のパイロットチャンネルの所望のマルチパス上の品質測定基準は、等化されてないパイロットチャンネルマルチパスの存在により、等化されたマルチパスを有するデータチャンネルの品質測定基準より小さい。その結果、受信されたパイロットチャンネルから推定されるリンク特性は、等化されたマルチパスを有するデータリンクとは異なる。従って、方程式（５）は、満足されず、雑音のあるチャンネル特性推定値は、ＡＴ４０４での受信器（図示されていない）の性能を低減させ得る。１つの実施形態に従って、データ復調に関するリンク推定を向上させるために、専用(dedicated)パイロット信号と呼ばれる、追加のパイロット信号が順方向リンク上に導入される。専用パイロット信号は、特定の着信局へ向けられたデータと同様な方法で事前符号化される。その結果、専用パイロット信号は、等化され、特定の着信局は、復調のために専用パイロット信号を使用する。１つの実施形態において、専用パイロット信号は、順方向トラフィックチャンネル上を、明確に規定され、周期的な間隔で、伝送される。もう１つの実施形態において、専用パイロット信号は、別個の順方向チャンネル上を連続的に伝送される。
【００３４】
図６は、本発明の１つの実施形態に従う順方向リンクチャンネルタイムスロット６００の略図である。タイムスロット６００は、パイロットバースト６０２、データ６０４ａ、６０４ｂ、６０４ｃ、専用パイロットバースト６０６を有する。順方向リンクは、各フレームが多数のタイムスロットの連結を具備するフレームを具備するので、パイロットバースト６０２及び専用パイロットバースト６０６は、それら自身、周期的に反復する。技術的に精通した通常の人は、図５を参照して説明するように、通信システムの他の機能をサポートするに必要な全ての他のチャンネルが順方向リンクチャンネルタイムスロット６００、例えば、ＭＡＣ、ＲＢＣ、及び他のチャンネルに存在することを理解する。この実施形態に従って、パイロットバースト６０２は、着信局に受信される信号の品質測定基準を予測する手段を与える。１つの実施形態において、品質測定基準は、搬送波対干渉比（Ｃ／Ｉ）である。様々な着信局がパイロットバースト６０２を利用するので、発信局は、パイロットバースト上で事前符号化を実施してはならない。専用パイロットバースト６０６は、特定のＡＴへ向けられたデータと同様な方法で事前符号化される、特定のＡＴは、前に説明した原理に従って復調のために専用パイロットバースト６０６を使用する。
【００３５】
しかしながら、技術に精通した通常の人は、その教示が様々な波形に適用可能であることを理解する。こうして、例えば、１つの実施形態において、パイロットバースト及び専用パイロットバーストは、各半タイムスロットに送出されることができる。その結果、この実施形態に従うタイムスロットは、各タイムスロットが図６に図示されるような構成を有する、２つの半タイムスロットを具備する。もう１つの実施形態において、波形は、専用パイロット信号バーストを有し、パイロット信号は、別個のチャンネル上を伝送されることができ、そしてそのパイロット信号は、連続的か又はバースティであることができる。
【００３６】
図７は、本発明の１つの実施形態に従う、ＡＰ７００のブロック図である。伝送されるべきデータは、可変の（variable）データ源７０２によってプロセッサ７０４へ与えられる。プロセッサ７０４は、ＣＤＭＡ原理に従ってデータを処理し、データを事前符号器７０６へ与える。事前符号器７０６は、データを事前符号化し、データを送信器７０８へ与える。送信器７０８は、更に、パイロット源７１０によって発生させられ、プロセッサ７１２によってＣＤＭＡ原理に従って処理された、パイロット信号を与えられる。本発明の１つの実施形態に従って、送信器７０８は、図５に関連して説明した原理に従うチャンネルタイムスロットを与えるために、事前符号化されたデータ及びパイロット信号を多重化する。
【００３７】
本発明のもう１つの実施形態に従って、発信局７００は、更に、専用パイロット源７１４を具備する。専用パイロット源７１４によって与えられたパイロットデータは、プロセッサ７１６によってＣＤＭＡ原理に従って処理され、事前符号器７０６へ与えられる。事前符号器７０６は、パイロットデータを事前符号化し、処理されたパイロットデータを送信器７０８へ与える。送信器７０８は、図６に関連して説明した原理に従うチャンネルタイムスロットを与えるために、事前符号化されたデータ、パイロット信号、及び専用パイロット信号を多重化する。
【００３８】
チャンネルタイムスロットは、それから、直交拡散され、ベースバンド濾波され、アップコンバートされ、及び順方向リンク４０６上へアンテナ７１８から送信される。
【００３９】
逆方向リンク４０８上の信号は、アンテナ７２０によって受信され、受信器７２２へ与えられ、そしてその受信器は、信号をダウンコンバートし、濾波し、及び逆拡散する。逆拡散された信号は、復調器７２４へ、更に、プロセッサ７２６へ与えられる。プロセッサ７２６は、データレート制御信号を抽出し、それをプロセッサ７０４へ与える。
【００４０】
ＦＤＤ通信システムが利用されるならば、ＡＴ及びＡＰによって確かめられるチャンネルインパルス応答は、一般に異なる。従って、ＦＤＤシステムにおいて、ＡＴは、それが決定したチャンネルインパルス応答を、逆方向リンク帰還チャンネル上でＡＰへ送信しなければならない。従って、プロセッサ７２６は、更に、インパルス応答情報を抽出し、推定値を事前符号器７０６へ与える。
【００４１】
ＡＴ及びＡＰが、両方とも、同じ周波数上で伝送する、ＴＤＤ通信システムにおいて、ＡＰは、順方向及び逆方向リンクチャンネルの相互関係により、順方向リンク上で事前等化を行うために、それ自身のチャンネルインパルス応答推定値を使用することができる。この実施形態において、プロセッサ７２６は、逆方向リンク上で送出された信号からチャンネルインパルス応答を推定し、推定値を事前符号器７０６へ与える。データは、データシンク７２８へ与えられる。
【００４２】
図８は、本発明の１つの実施形態に従うＡＴ８００のブロック図である。順方向リンク４０６上の信号は、アンテナ８０２によって捕捉され、受信器８０４へ与えられ、そしてその受信器は、信号をダウンコンバートし、濾波し、及び逆拡散する。信号は、パイロット検出器８０６及び復調器８０８へ与えられる。パイロット検出器８０６は、パイロット信号を検出し及び抽出し、そしてそのパイロット信号は、それから、プロセッサ８１０へ与えられる。
【００４３】
本発明の１つの実施形態に従って、プロセッサ８１０は、パイロットバーストを使用して、ＡＰによって事前符号化されている、ＡＴ８００が信じるところの、チャンネルの複合チャンネル利得を推定し、この推定値を復調器８０８へ与える。復調器８０８は、データの復調のためにこの推定値を利用する。
【００４４】
本発明のもう１つの実施形態に従って、プロセッサ８１０は、専用パイロットバーストを使用して、ＡＰによって事前符号化されているチャンネルの複合チャンネル利得を推定しに、この推定値を復調器８０８へ与える。復調器８０８は、データの復調のためにこの推定値を利用する。
【００４５】
プロセッサ８１０は、更に、ＳＩＮＲを推定するためにパイロットバーストを使用し、少なくとも１つの次のタイムスロットを介して事前符号化された信号のＳＩＮＲを予測するためにこの値を使用する。予測されたＳＩＮＲ値は、それから、ＤＲＣを発生させるために使用され、そしてそのＤＲＣは、プロセッサ８１８へ与えられる。プロセッサ８１８は、ＤＲＣを複合チャンネル利得及び送信されるべくデータ源８１６によって発生させられるトラフィックデータと一緒に、送信器８２０へ与える。データは、それから、直交拡散され、ベースバンド濾波され、アップコンバートされ、及び逆方向リンク４０８上へアンテナ８２２から送信される。
【００４６】
多重受信アンテナの拡張
図９は、ＡＰ９０２が１つのアンテナ９０８から信号を送信し、ＡＴ９１６が多重アンテナで信号を受信する、しばしば使用される通信システムの構成に対する、前に説明した概念の拡張を図示する。説明の目的のために、２つのアンテナ９１４ａ及び９１４ｂのみが図示される。技術的に精通した通常の人は、どんな方法で説明した実施形態を多重アンテナへ拡張するかを理解するだろう。
【００４７】
ＡＰ９０２は、データ源９０４を具備し、そしてそのデータ源は、前に説明した実施形態に従う関数Ｇ（ｚ）に従ってデータを事前符号化する事前符号器９０６へデータを与える。技術的に精通した通常の人は、図９に示されていないが、ＡＰ９０２が、更に、前に説明した実施形態に従って順方向リンク波形を発生させるために必要な、全ての例示の論理ブロック、モジュール、並びに図７及び付随する本文に関して図示されるような回路を具備することを、理解する。順方向リンク波形は、それから、アンテナ９０８を介して送信される。
【００４８】
順方向リンク波形は、伝達関数Ｃ1（ｚ）によって特徴付けられて、通信チャンネル９１０ａを介してＡＴ９１６のアンテナ９１４ａに到達する。通信チャンネル９１０ａは、雑音９１２ａを誘導し、結果として生じる信号及び雑音は、伝達関数Ｈ1（ｚ）によって特徴付けられて、等化器９１８ａへ与えられる。データもまた、伝達関数Ｃ2（ｚ）によって特徴付けられて、通信チャンネル９１０ｂを介してＡＴ９１６のアンテナ９１４ｂに到達する。通信チャンネル９１０ｂは、雑音９１２ｂを誘導し、結果として生じる信号及び雑音は、伝達関数Ｈ2（ｚ）によって特徴付けられて、等化器９１８ｂへ与えられる。その結果、和回路９２０の出力で復調器９２２は、次の方程式によって与えられる、伝達関数Ｒ（ｚ）によって変更された信号を受信する。
【００４９】
Ｒ（ｚ）＝Ｇ（ｚ）・Ｃ１（ｚ）・Ｈ１（ｚ）＋Ｇ（ｚ）・Ｃ２（ｚ）・Ｈ２（ｚ）
（６）
ＡＴ９１６は、復調器９２２での信号品質測定基準、例えば、最大のＳＩＮＲを最適化するために、前に説明した実施形態に従って、伝達関数Ｃ1（ｚ）、Ｃ2（ｚ）を推定し、Ｈ1（ｚ）、Ｈ2（ｚ）、及びＧ（ｚ）を調節する。前に説明した実施形態に従って復号されたデータは、データシンク９２４へ与えられる。着信局は、それから、Ｇ（ｚ）を計算し、発信局９０２へ通報し返す。
【００５０】
技術的に精通した通常の人は、図９に示されていないが、ＡＰ９１６が、更に、前に説明した実施形態に従って処理（例えば、順方向リンク受信、パイロット信号抽出、チャンネル推定）を行うために必要な、全ての例示の論理ブロック、モジュール、並びに図８及び付随する本文に関して図示されるような回路を具備することを、理解する。
【００５１】
前の開示された実施形態の説明は、技術的に精通した任意の人が本発明を製品化し又は使用することを可能にするように提供される。これらの実施形態に対する種々の変更は、技術的に精通した人達には即座に明白であり、この中に規定された包括的な原理は、本発明の精神又は範囲から離脱することなく他の実施形態に適用されることができる。このように、本発明は、この中に示された実施形態に限定されるように意図されるものではなくて、この中に開示された原理及び新規な特徴と矛盾がない最も広い範囲と一致するものである。
【００５２】
技術的に精通した人達は、情報及び信号が任意の種々の異なる技術及び手法を使用して表現されることができることを理解する。例えば、前の説明の全体に亘って参照され得るデータ、指示、命令、情報、信号、ビット、シンボル、及びチップは、電圧、電流、電磁波、磁場若しくは磁粒子、光場若しくは光粒子、又はこれらの任意の組み合わせによって表現されることができる。
【００５３】
技術的に精通した人達は、更に、この中に開示された実施形態に関連して説明した種々の例示の論理ブロック、モジュール、回路、及びアルゴリズムステップは、電子的ハードウェア、コンピュータソフトウェア、又はその両方の組み合わせとして実施されることができることを正当に評価する。このハードウェア及びソフトウェアの互換性を明瞭に図解説明するために、種々の例示の構成要素、ブロック、モジュール、回路、及びステップは、それらの機能性の点から概論的に前に説明してきた。このような機能性がハードウェア又はソフトウェアとしてとして実施されるかどうかは、システム全体に課せられる特定の適用及び設計の制約事項に左右される。精通した技術者は、一つ一つの特定の適用に関して、説明した機能性を種々の方法で実施することができるが、このような実施決定は、本発明の範囲からの離脱をもとにするものと解釈されるべきではない。
【００５４】
この中に開示された実施形態に関連して説明した種々の例示の論理ブロック、モジュール、回路は、この中に説明した機能を実行するために設計された、汎用プロセッサ、ディジタル信号プロセッサ（ＤＳＰ）、特定用途集積回路（ＡＳＩＣ）、現場プログラム可能ゲートアレー（ＦＰＧＡ）若しくは他のプログラム可能論理装置、個別ゲート若しくはトランジスタ論理、個別ハードウェア構成要素、又はこれらの任意の組み合わせ、を用いて実施され又は実行されることができる。汎用プロセッサは、マイクロプロセッサであってもよいが、代案として、プロセッサは、任意の従来のプロセッサ、コントローラ、マイクロコントローラ、又はステートマシン（state machine）であってもよい。プロセッサはまた、計算装置の組み合わせ、例えば、ＤＳＰとマイクロプロセッサとの組み合わせ、複数のマイクロプロセッサ、ＤＳＰ中核併用の１つ以上のマイクロプロセッサ、又は任意の他のこのような構成として実施されることができる。
【００５５】
この中に開示された実施形態と関連して説明した方法又はアルゴリズムのステップは、ハードウェアに、プロセッサによって実行されるソフトウェアモジュールに、又はその二つの組み合わせに、直接に具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、着脱可能ディスク、ＣＤ‐ＲＯＭ、又は技術的に周知の任意の他の形式の蓄積媒体、に常駐することができる。例示的蓄積媒体は、プロセッサが蓄積媒体から情報を読み取り、蓄積媒体へ情報を書き込むことができるような、プロセッサに結合される。代案として、蓄積媒体は、プロセッサと一体化してもよい。プロセッサ及び蓄積媒体は、ＡＳＩＣに常駐することができる。ＡＳＩＣは、ユーザ端末（多分前に大ざっぱに規定した）に常駐することができる。代案として、プロセッサ及び蓄積媒体は、ユーザ端末に個別構成要素として常駐してもよい。
【００５６】
この特許書類の開示の部分は、著作権保護の支配下にある資料を有する。著作権所有者は、特許商標局特許出願又は記録において発生するような、特許記録又は特許開示のどの人による複写再生にも異存はないが、それ以外の点では全ての著作権のいかなる権利も留保するものである。
【図面の簡単な説明】
【００５７】
【図１】図１は、マルチパス干渉の概念的説明図である。
【図２】図２は、受信器でのマルチパス干渉の等化の概念的説明図である。
【図３】図３は、送信器での事前符号化及び受信器でのマルチパス干渉の等化の概念的説明図である。
【図４】図４は、多元接続通信システムの概念図を図示する。
【図５】図５は、本発明の１つの実施形態に従う順方向リンク波形を図示する。
【図６】図６は、本発明のもう１つの実施形態に従う順方向リンクチャンネルタイムスロットを図示する。
【図７】図７は、本発明の１つの実施形態に従う送信端末のブロック図である。
【図８】図８は、本発明の１つの実施形態に従う受信端末のブロック図である。
【図９】図９は、多重受信アンテナを用いる多元接続通信システムの概念図を図示する。
【符号の説明】
【００５８】
１０６‥通路，１０８‥通路，４００‥通信システム、４０６‥順方向リンク，４０８‥逆方向リンク，５００‥順方向リンク波形，５０２‥タイムスロット，６００‥タイムスロット，７００‥発信局，
【図１】
2005502258.tif 000005
【図２】
2005502258.tif 000006
【図３】
2005502258.tif 000007
【図４】
2005502258.tif 000008
【図５】
2005502258.tif 000009
【図６】
2005502258.tif 000010
【図７】
2005502258.tif 000011
【図８】
2005502258.tif 000012
【図９】
2005502258.tif 000013
【国際公開パンフレット】
2005502258.tif 000014
2005502258.tif 000015
2005502258.tif 000016
2005502258.tif 000017
2005502258.tif 000018
2005502258.tif 000019
2005502258.tif 000020
2005502258.tif 000021
2005502258.tif 000022
2005502258.tif 000023
2005502258.tif 000024
2005502258.tif 000025
2005502258.tif 000026
2005502258.tif 000027
2005502258.tif 000028
2005502258.tif 000029
2005502258.tif 000030
2005502258.tif 000031
2005502258.tif 000032
2005502258.tif 000033
2005502258.tif 000034
2005502258.tif 000035
2005502258.tif 000036
2005502258.tif 000037
2005502258.tif 000038
2005502258.tif 000039
2005502258.tif 000040
2005502258.tif 000041
2005502258.tif 000042
2005502258.tif 000043
2005502258.tif 000044
2005502258.tif 000045
2005502258.tif 000046
【国際公開パンフレット（コレクトバージョン）】
2005502258.tif 000047
【国際調査報告】
2005502258.tif 000048
2005502258.tif 000049
2005502258.tif 000050